(57)【要約】  常設の基礎を据え付けられないか即座に使用可能な基礎が必要となる場所に置かれ得る、産業設備のための可搬式プレキャストスラブシステムの装置および使用方法。スラブ（２）は、好ましくは約４’’−２４’’の厚さで、好ましくは少なくとも約６’の長さで、好ましくは約６’の幅であり、複数の部分がスラブを形成するために使用されてもよい。このスラブは、スラブを移動させるために組み込まれた取り付け手段（１６）を有していてもよい。大容量貯蔵タンクがこのスラブ上に置かれる場合、好ましくは、タンクに隣接した少なくとも約８フィート×約８フィートの領域が極低温液体を送り出すのに利用可能である。このスラブの製造および使用方法も視野に入れられており、このスラブは、飛散防止パッド、および極低温ポンプ用のパッドとして使用されてもよい。【選択図】      図１
2007505794.tif 000002
【特許請求の範囲】
【請求項１】
可搬式プレキャストスラブを産業設備のための基礎として使用する方法であって：
上面と、複数の側面と、下面と、少なくとも約６フィートの長さと、少なくとも約６フィーとの幅と、少なくとも約４インチの厚さとを有し、コンクリートまたはセメントから構成されている可搬式プレキャストスラブを用意することと、
前記スラブの前記下面を地面上に置くことと、
前記スラブをレベリングすることおよび／または前記スラブの水平を確認することと、
産業設備の少なくとも１つの部分を前記スラブの前記上面上に置くことと
ことを含んだ方法。
【請求項２】
補強手段を前記コンクリートまたはセメント中に投入する工程をさらに含んだ請求項１記載の方法。
【請求項３】
取り付け手段を提供する工程をさらに含み、前記手段は前記スラブの前記上面または前記側面から到達可能である請求項１記載の方法。
【請求項４】
前記取り付け手段は、少なくとも１つのリフトピン、少なくとも１つのリフトリング、少なくとも１つのリフトボルト、アンカーボルト、またはそれらの組合せから実質的になる群より選ばれる請求項３記載の方法。
【請求項５】
ケーブルを前記取り付け手段に取り付ける工程と
前記スラブを移動させる工程と
をさらに含んだ請求項３記載の方法。
【請求項６】
前記産業設備は大容量貯蔵タンクを含んだ請求項１記載の方法。
【請求項７】
前記大容量貯蔵タンクの少なくとも１つの脚部を前記スラブに固定する工程をさらに含んだ請求項６記載の方法。
【請求項８】
フェンスを前記スラブおよび／または前記産業設備の周囲部のまわりに設置する工程をさらに含んだ請求項１記載の方法。
【請求項９】
複数の部分を含んだスラブを使用する工程と
前記複数の部分を互いに隣接させて配置して、前記スラブを形成する工程と
をさらに含んだ請求項１記載の方法。
【請求項１０】
前記大容量貯蔵タンクが前記スラブの前記上面上に置かれた後に液体酸素の送り出しに利用可能な少なくとも長さが約８フィートで幅が約８フィートの領域を、前記タンクに隣接する前記上面に有しているスラブを用意する工程をさらに含んだ請求項６記載の方法。
【請求項１１】
前記スラブの少なくとも一部を飛散防止パッドとして使用する工程をさらに含んだ請求項１記載の方法。
【請求項１２】
前記産業設備は少なくとも１つの極低温液体ポンプを含んだ請求項１記載の方法。
【請求項１３】
前記パッドは、少なくとも約６フィートから約１０フィートの幅で、約１５フィートから約３０フィートの長さで、かつ約４インチから約１０インチの厚さである請求項１２記載の方法。
【請求項１４】
前記パッドは、約８’８’’の幅であり約２４’’の長さでありかつ約８’’の厚さである請求項１２記載の方法。
【請求項１５】
産業設備のための基礎として使用する可搬式強化プレキャストスラブであって、
コンクリートまたはセメントで構成されているプレキャストまたはプレモールドスラブであって、上面と、底面と、複数の側面と、長さと、幅と、厚さとを有しているスラブを具備し、
前記厚さは少なくとも約６インチから約２４インチであり、前記長さは少なくとも約６フィートであり、前記幅は少なくとも約６フィートであり、
前記コンクリートまたはセメントは補強手段によって補強されており、
使用中、前記スラブは、水平または実質的に水平でありかつ産業設備のための基礎として使用されるスラブ。
【請求項１６】
取り付け手段をさらに含み、前記取り付け手段は、少なくとも１つのリフトピン、少なくとも１つのリフトリング、少なくとも１つのリフトボルト、少なくとも１つのアンカーボルト、およびそれらの組合せから実質的になる群より選ばれる請求項１５記載のスラブ。
【請求項１７】
前記スラブに形成されかつ前記上面または前記側面から視認可能な複数の開口部を有し、前記複数の開口部はそれらの中にフェンスポストを据え付けるのに使用され得る請求項１５記載のスラブ。
【請求項１８】
他のスラブの少なくとも１つの側面と相互接続または相互連係するような形および／または大きさの少なくとも１つの側面を有している請求項１５記載のスラブ。
【請求項１９】
複数の補強棒またはロッドが前記補強手段として使用され、かつ前記コンクリートまたはセメント中に置かれており、前記複数の補強棒またはロッドは互いに平行におよび／または交差するように配置されている請求項１５記載のスラブ。
【請求項２０】
前記産業設備は大容量貯蔵タンクを備えている請求項１５記載のスラブ。
【請求項２１】
前記タンクが前記スラブ上に置かれた後に液体酸素の送り出しに利用可能な少なくとも長さが約８フィートで幅が約８フィートの領域を、前記タンクに隣接する前記上面に有している請求項２０記載のスラブ。
【請求項２２】
前記複数の補強棒またはロッドは支持枠へと形成されており、前記取り付け手段は前記支持枠に着脱可能にまたは固定式で取り付けられている請求項１９記載のスラブ。
【請求項２３】
少なくとも１つの大容量貯蔵タンクのための基礎として使用するプレキャストスラブを製造する方法であって、
型枠を用意することと、
前記型枠をコンクリートまたはセメントで少なくとも部分的に充填することと、
少なくとも１つの取り付け手段を前記コンクリートまたはセメントの中に置くことと、
前記型枠をコンクリートまたはセメントで充填することと、
前記コンクリートまたはセメントを乾燥および／または養生させ、これにより、上面と、底面と、複数の側面と、長さと、幅と、厚さとを有し、少なくとも約６インチの厚さから約２４インチの厚さであるスラブを形成することと、
前記コンクリートまたはセメントが少なくとも部分的に乾燥したときに、前記スラブを前記型枠から取り外すことと
を含んだ方法。
【請求項２４】
前記上面から視認可能な複数の開口部を前記スラブに形成する工程と、
前記スラブを産業用地に置く工程と、
複数のフェンスポストを前記複数の開口部の中に据え付ける工程と
をさらに含んだ請求項２３記載の方法。
【請求項２５】
１つより多い部分を備えたスラブを組み立てる工程と、
前記複数の部分に、前記複数の部分が相互接続または相互連係してスラブを形成し得るように形づくられた少なくとも１つの側面を設ける工程と
をさらに含んだ請求項２３記載の方法。
【請求項２６】
補強手段を前記スラブ中に置く工程をさらに含んだ請求項２３記載の方法。
【請求項２７】
複数の補強棒またはロッドを前記補強手段として前記スラブ中で使用する工程と、
前記複数の補強棒またはロッドを、互いに平行におよび／または交差するように配置する工程と
を含んだことを特徴とする請求項２６記載の方法。
【請求項２８】
前記複数の補強棒またはロッドは、三次元支持構造体を形成するように配置される請求項２６記載の方法。
【請求項２９】
前記複数の補強棒またはロッドは、成形前にプレストレスが印加される請求項２６記載の方法。
【請求項３０】
スラブは、使用前に乾燥および／または養生させられる請求項２３記載の方法。
【請求項３１】
異なる密度のコンクリートまたはセメントを使用して前記スラブを形成する工程をさらに含んだ請求項２３記載の方法。
【請求項３２】
複数の溝を前記スラブの前記上面につくり、前記スラブの前記上面からの排水を確実にする工程をさらに含んだ請求項２６記載の方法。
【請求項３３】
極低温液体用の飛散防止パッドとして使用する可搬式プレキャストスラブの使用方法であって、
コンクリートまたはセメントから構成され、上面と、複数の側面と、下面と、長さと、幅と、厚さとを有し、前記長さは少なくとも約６フィートであり、前記幅は少なくとも約６フィートであり、前記厚さは少なくとも約２インチである可搬式プレキャストスラブを用意することと、
前記スラブの前記下面を地面上に置くことと、
極低温液体を前記スラブの上または近傍で取り出すことと、
前記スラブの前記上面を、前記極低温液体の取り出しによって飛散する前記極低温液体の少なくとも一部を捕らえるために使用することと
を含んだ方法。
【請求項３４】
補強手段を前記コンクリートまたはセメントの中に置く工程をさらに含んだ請求項３３記載の方法。
【請求項３５】
取り付け手段を設ける工程をさらに含み、前記手段は前記スラブの前記上面または前記側面から到達可能である請求項３３記載の方法。
【請求項３６】
前記取り付け手段は、少なくとも１つのリフトピン、少なくとも１つのリフトリング、少なくとも１つのリフトボルト、アンカーボルト、およびそれらの組合せから実質的になる群より選ばれる請求項３５記載の方法。
【請求項３７】
ケーブルを前記取り付け手段に取り付ける工程と、
前記スラブを移動させる工程と
をさらに含んだ請求項３５記載の方法。
【請求項３８】
複数の部分を備えたスラブを使用する工程と、
前記複数の部分を互いに隣接させて配置して前記スラブを形成する工程と
をさらに含んだ請求項３３記載の方法。
【請求項３９】
大容量貯蔵タンクのための可搬式プレキャスト基礎を提供する方法であって、
上面と、複数の側面と、下面と、長さと、幅と、厚さを有している可搬式プレキャストスラブであって、前記長さは約６フィートから約２０フィートであり、前記幅は約６フィートから約１２フィートであり、前記厚さは約６インチから約２４インチであり、前記スラブは強化コンクリートまたはセメントから構成されており、前記コンクリートまたはセメントは、ワイヤ、補強棒、ロッドまたはそれらの組合せから実質的になる群より選択される手段によって補強されているスラブを得ることと、
前記スラブをその必要とされる場所に移動させることと、
前記スラブの前記下面を下地上に置くことと、
前記スラブをレベリングすることおよび／または前記スラブの水平を確認することと、
大容量貯蔵タンクを前記スラブの前記上面上に置くことと
を含んだ方法。
【請求項４０】
取り付け手段を前記コンクリートまたはセメントの中に置く工程をさらに含み、前記手段は前記スラブの前記上面または前記側面から到達可能であり、前記手段は前記スラブを移動させるのに使用される請求項３９記載の方法。
【請求項４１】
前記取り付け手段は、少なくとも１つのリフトピン、少なくとも１つのリフトリング、少なくとも１つのリフトボルト、少なくとも１つのアンカーボルト、およびそれらの組合せから実質的になる群より選ばれる請求項４０記載の方法。
【請求項４２】
前記大容量貯蔵タンクの少なくとも一部を前記スラブに固定する工程をさらに含んだ請求項４０記載の方法。
【請求項４３】
複数の開口部を前記コンクリートまたはセメントに形成する工程と、
前記スラブを前記地面上に置いた後、複数のフェンスポストを前記複数の開口部の中に据え付ける工程と、
フェンスを前記複数のフェンスポストに取り付ける工程と、
フェンスを前記スラブおよび／または前記タンクの周辺部のまわりに設置する工程と
をさらに含んだ請求項４０記載の方法。
【請求項４４】
前記スラブの少なくとも一部を飛散防止パッドとして使用する工程をさらに含んだ請求項４０記載の方法。
【請求項４５】
前記スラブの前記幅は約１０フィートである請求項３９記載の方法。
【請求項４６】
前記スラブの前記長さは約１２フィートである請求項３９記載の方法。
【請求項４７】
前記スラブは約６インチから１６インチの厚さである請求項３９記載の方法。
【請求項４８】
前記スラブは、約１０フィートの幅であり、約１５フィートの長さであり、約６インチの厚さまたは約１２インチの厚さである請求項３９記載の方法。
【請求項４９】
前記スラブは、約１０フィートの幅であり、約１５フィートの長さであり、約１６インチの厚さである請求項３９記載の方法。
【請求項５０】
極低温液体貯蔵および供給システムをある場所に創出する方法であって、
少なくとも１つの可搬式プレキャストスラブ基礎と、
ａ）極低温液体貯蔵タンク、
ｂ）気化器、
ｃ）圧力制御手段、
ｄ）ガス濾過手段、
ｅ）遠隔測定ユニット手段、
ｆ）ポンプ手段、
ｇ）タンク充填手段、
ｈ）配管支持体、
ｉ）ガス貯蔵シリンダ、
ｉ）飛散防止パッド、
ｋ）フェンス、および
ｌ）配管
からなる群より選択される少なくとも１つの他の部材とを設置することを含んだ方法。
【請求項５１】
前記基礎は、前記システムの前記他の部材と実質的に同時に設置される請求項５０記載の方法。
【請求項５２】
前記基礎は、車両から移動させられて地面上に置かれる請求項５０記載の方法。
【請求項５３】
前記基礎は、前記車両からクレーンによって移動させられる請求項５２記載の方法。
【請求項５４】
前記液体は、
ａ）窒素、
ｂ）酸素、
ｃ）アルゴン、
ｄ）二酸化炭素、
ｅ）水素、および
ｆ）ヘリウム
からなる群より選択される少なくとも１つの要素をさらに含んだ請求項５０の方法。
【請求項５５】
前記基礎は屋外に設置される請求項５０記載の方法。
【請求項５６】
極低温液体貯蔵供給システムをある場所から撤去する方法であって、基礎を含むシステムの全ての要素が設置現場から撤去される方法。
【請求項５７】
前記基礎は再利用可能である請求項５６記載の方法。
【請求項５８】
前記基礎は、前記現場から車両により撤去される請求項５６記載の方法。
【請求項５９】
極低温液体を貯蔵および供給する装置であって、
少なくとも１つの可搬式プレキャストスラブ基礎と、
極低温液体貯蔵タンクと、
ａ）気化器、
ｂ）圧力制御手段、
ｃ）ガス濾過手段、
ｄ）遠隔測定ユニット手段、
ｅ）ポンプ手段、
ｆ）タンク充填手段、
ｇ）配管支持体、
ｈ）ガス貯蔵シリンダ、
ｉ）飛散防止パッド、
ｊ）フェンス、および
ｋ）配管
からなる群より選択される少なくとも１つの部材とを含んだ装置。
【請求項６０】
前記極低温液体は、
ａ）窒素、
ｂ）酸素、
ｃ）アルゴン、
ｄ）二酸化炭素、
ｅ）水素、および
ｆ）ヘリウム
からなる群より選択される少なくとも１つの要素を含んだ請求項５９の方法。
【請求項６１】
前記基礎は屋外に設置される請求項５９記載の装置。
【発明の詳細な説明】
【技術分野】
【０００１】
本発明は、可搬式のパッドまたはスラブ、特には産業設備、大容量貯蔵タンク、極低温液体ポンプなどのための、仮設の、取り外し可能な、または常設の基礎として使用する可搬式プレキャストスラブ、ならびに、このスラブを製造および使用する関連の方法に関する。それは保護面として、例えば液体酸素または液体水素または他の極低温液体の取り出し（off loading）または飛散防止（splash）用パッドとしても適している。
【発明の開示】
【０００２】
本発明の説明を目的として、用語「上」、「下」、「左」、「垂直」、「水平」、「上部」、「底部」、「下部」、「側部」、および他の関連する用語は、ここで説明され、添付の図面で例示される本発明の実施形態に関連して定義される。しかし、本発明は様々な代替の構造および方法を想定することができ、それでもなお、本発明はこの開示の範囲および趣旨の内にあることが理解されるべきである。さらに、ここで開示する実施形態に関するどの具体的な寸法および／または物理的特徴も、本発明の範囲内にありながらも修正および変更が可能であり、それゆえに、限定的であることを意図していないことが理解されるべきである。本発明は、産業設備、大容量貯蔵タンク、極低温液体ポンプ、熱交換器、ならびに、多岐管、蒸留塔、および小型建築物などの関連設備のための仮設のまたは取り外し可能な基礎として使用する、プレキャストコンクリートまたはセメントで構成された可搬式のパッドまたはスラブに関する。
【０００３】
他の場所に容易に移動させることができる、および／または、納品と設置との後に速やかに使用することができる、可搬式または予備成形構造体の使用は、非常に有利である。ある場所では、常設の基礎を据え付けることができない、および／または、速やかに使用可能な基礎への要求がある。他の状況では、常設の産業設備および部品を購入し設置するのではなく、事業主は設備の一部をある期間賃借することを選択し、この設備は基礎上に組み立てるのが最善であり、この基礎も賃貸されるかもしれない。
【０００４】
ある供給業者は、第三者に、定期的に使用されかつ補充される液体窒素および液体酸素などの商品の購入と共に使用する大容量貯蔵タンクなどの高価な設備を貸し出すであろう。供給契約および／または賃借の制限された期間のせいで、これらの事業主にとって、大容量貯蔵タンクまたは他の産業設備を常設することは不可能であるかもしれない。このような場合、大容量貯蔵タンクまたは他の産業設備用の基礎が必要であり、可搬式で取り外し可能なスラブ／またはパッドが貯蔵タンクまたは他の産業設備と共に使用され得る。
【０００５】
さらに、投資および会計の原則だけでなく、事業戦略も、可搬式の設備または部品を必要とするであろう。供給業者の応答時間も短縮することもでき、可搬式パッドの在庫を管理することで、設備をより短い時間で設置することができる。
【０００６】
可搬式構造物は、常設の構造物が許されず、それら構造物および装置を速やかに移動または再配置することが可能な、地役権（easements）および借地などの場所においても有用である。
【０００７】
本発明は、補強材を有するまたは有さない、基礎または飛散防止パッドとして使用する可搬式プレキャストスラブを視野に入れている。そのスラブ／パッドは、上面と、底面と、複数の側面と、長さと、幅と、厚さとを有しており、この厚さは様々であり、重量支持スラブ／パッドは好ましくは少なくとも約６インチから約２４インチまたはそれ以上であり、約４８インチまでの厚さでもよい。パッドの厚さも、持ち上げ、荷積み、搬送、使用などの間にスラブが分裂するのを防ぐために重要である。さらに、スラブは、好ましくは少なくとも約６フィートの長さであり、約２０フィートまでの長さでもよい。もちろん、他の実施形態においては、同様の平方フィート数範囲（similar square footage ranges）のスラブが好ましい場合もある。同様に、スラブは、好ましくは少なくとも約６フィートの幅であり、約１２フィートまで幅でもよく、移動可能という究極的な制限付きでさらに幅広であってもよい。ある実施形態では、１０’×１５’×１６’’の寸法のスラブが極低温貯蔵タンクのための基礎として使用するのに特に好都合であった。他の実施形態では、１０’×１５’で厚さが６’’ の寸法、１０’×１５’で厚さが１６’’ の寸法、および１０’×１５’で厚さが１２’’の寸法のスラブが極低温貯蔵タンクのための基礎として使用するのに特に望ましいということがわかっている。１０’×１５’で厚さが１６インチのスラブの重さはおよそ２９，２５０ポンドである。
【０００８】
このスラブは、様々な産業設備および／または部品用の基礎として使用することができる。このスラブは屋内でも屋外でも使用することができる。本発明は、補強材を有しているかまたは有しておらず、低温液体、特には可燃性（flammable）低温液体の取り出しのための飛散防止パッドとして使用する可搬式のプレキャストスラブも視野に入れている。アスファルトなどのある種の下地は、可燃性であり、酸素のようなある低温液体がアスファルト上にたれると燃え出すことがある。対照的に、セメントまたはコンクリートの表面または下地は可燃性ではない。そうであるので、本発明は、飛散防止パッドとして使用するスラブにも向けられる。セメントまたはコンクリートの表面上には、それらを飛散防止パッドとして使用するために、特別なコーティングまたはフィルムは必要ない。
【０００９】
もちろん、産業設備用の基礎として使用する本発明のスラブは、産業設備を保持するまたは保持しない飛散防止パッドとしても使用できる。スラブを飛散防止パッドとしてのみ使用し、かつ、荷重を支える基礎としては使用しない場合には、このスラブは基礎として使用するスラブと同じ厚さである必要はない。例えば飛散防止パッドと基礎パッドとを互いに隣接して配置する場合には、同じ厚さのスラブは設置がより容易であろう。
【００１０】
さらに、飛散防止パッドは、単独でまたは基礎として使用するスラブと共に使用してもよい。基礎として使用するスラブと同様に、飛散防止パッドは、上面と、底面と、複数の側面と、長さと、幅と、厚さとを有しており、この厚さは様々であり、少なくとも約２インチから約４８インチであるが、より好ましくは少なくとも約２インチから６インチの厚さである。飛散防止パッドは、好ましくは最小で約６フィートの長さであり、約２０フィートまでの長さまたはそれ以上でもよい。
【００１１】
ある実施形態では、飛散防止パッドは、好ましくは最小で約６フィートの幅であり、約１２フィートまでの幅またはそれ以上でもよい。別の実施形態では、好ましい飛散防止パッドは、約４フィートの長さおよび約８フィートの幅である。他の実施形態では、好ましい飛散防止パッドは、約８フィートの長さおよび約８フィートの幅である。もちろん、他の実施形態では、同様の平方フィート数の飛散防止パッドを使用してもよい。他の全ての点で、飛散防止パッドは、基礎パッドと同じ特性および特徴を有することができる。
【００１２】
さらに、スラブ／パッドは、スラブが持ち上げられるおよび／または移動させられるのを可能にする取り付け手段を有してもよい。取り付け手段は、スラブ／パッドの上面または側面から到達可能（accessible）な、少なくとも１つのリフトピンまたはアイループ（eye loop）などの当業者に知られている様々な装置を具備してもよく、それは、凹部に据え付けられていてもいなくてもよい。スラブは、フォークリフトによって移動させられるように設計することもできるし、あるいは特別な取り付け装置なしに索具を装備していてもよい。
【００１３】
スラブ／パッドは、鋳込成形によってスラブにつくられ、かつ、上面または側面から視認可能な複数の開口部を有していてもよい。これら開口部は、支柱を保持するかまたはその中にフェンスポストを据え付けるなどの様々な目的で使用することができる。
【００１４】
さらに、スラブ／パッドは、可搬式でも常設でもよい他のスラブまたはパッドと相互接続（interconnect）または相互連係（interface）してもよい。これは、他のスラブの少なくとも１つの側面に相互接続または相互連係するような形におよび／または大きさにつくられた少なくとも１つの側面を含んでいてもよい。
【００１５】
スラブ／パッドは構造用補強材を有してもよい。この場合、コンクリートまたはセメントの補強に、当業者に知られている様々な手段を使用してもよい。
【００１６】
また、産業設備が大容量の酸素または水素貯蔵タンクを備えている場合、好ましくは上面における少なくとも１０フィートの長さで１０フィートの幅の領域が、大容量貯蔵タンクをスラブのその面（すなわち、タンカートラックの作業端のための取り出し面）に置いた後に液体酸素を送り出すのに利用可能であるべきであり、そうでなければ、飛散防止パッドを同一または同様の幅の領域を有する基礎に隣接させて置いてもよい。ある実施形態では、スラブを大容量貯蔵タンクのために使用する場合、スラブは少なくとも約３００から約３０００ガロンまでの液体またはそれ以上の液体で満たされた貯蔵タンクを少なくとも支持すべきである。もちろん、それらパッドは、他の液体を収容し、かつ他の機能を有するタンクのために使用してもよい。それらパッドは、アルゴンおよび窒素タンクにも使用されている。
【００１７】
基礎および飛散防止パッドとして使用するスラブと同様に、極低温液体ポンプまたは他の産業設備のために使用するパッドは、上面と、底面と、複数の側面と、長さと、幅と、厚さとを有しており、この厚さは様々であり、少なくとも約４インチから約１６インチであるが、より好ましくは少なくとも約４インチから約１０インチの厚さである。極低温ポンプのためのパッドは、好ましくは最小で約６フィートの長さであり、少なくとも約１５フィートの長さであり、約２５フィートまでの長さまたはそれ以上でもよい。８’８’’×２４’で厚さが８’’のパッドは、多くの高圧極低温液体ポンプを保持するために使用されてきた１つの寸法である。様々な厚さおよび寸法の他のパッドもこのようなポンプを保持する用途のために考慮されている。
【００１８】
パッド／スラブ構造体は搬送および移動できなくてはならないために、それは、好ましくは、装置を持ち上げるために一般的に使用するクレーンやフォークリフトなどの機器によって持ち上げられ得るのに十分に軽量である。それはまた、路上を安全に走行可能な（許可があってもなくても）車両、または舟などの他の運搬体で運ばれ得る重さおよび大きさであるべきである。
【００１９】
本発明はまた、可搬式のプレキャスト強化セメントまたはコンクリートスラブの製造方法および使用方法も視野に入れている。
【００２０】
図１に示すように、プレキャストスラブ／パッド２は上面４と、複数の側面６と、下面８とを有している。プレキャストまたはプレモールドスラブは、産業設備のためのスラブ、パッド、または基礎として実際に使用する前に、セメントを別の場所で型枠（form）または鋳型（mold）に流し込むことで形成された、スラブ、パッド、基礎または基礎部品を意味する。また、スラブ２は、長さ１０と、幅１２と、厚さ１４とを有している。好ましくは、スラブは、少なくとも約６インチから約２４インチまでの厚さを有している。基礎として使用するスラブは、好ましくは強化セメントまたはコンクリート２４を含み、好ましくはスラブが持ち上げられるのを可能とする取り付け手段を有している。繰り返すと、飛散防止パッドも、このような取り付け手段を有していてもよい。
【００２１】
取り付け手段は、典型的には、プレキャストスラブ、パッドまたは基礎要素を持ち上げるおよび／または移動させるのに用いられる。取り付け手段という用語は、スラブに組み込まれ得るものであって、スラブが移動させられるのを可能とするかまたはスラブを可動とするデバイスまたは装置をいう。例えば、取り付け手段は、実質的に、好ましくは鋳鋼であるリフトピン、リフトリング、リフトボルトなど、およびそれらの組合せ、または、公知のもしくはこのような目的で当業者によって使用されている他の装置を含んでいてもよい。取り付け手段は、好ましくは上面および／または側面から到達可能である。ケーブルは、取り付け手段に直接巻きつけられていてもよく、取り付け手段を通る輪にされていてもよく、例えば、ケーブルに取り付けられるループクリップ、フックなどを備えた取り付け手段では、ループの穴に挿入または通すことができ、他のタイプの取り付け手段の周りに巻き付けられていてもよい。本発明によると、この取り付け手段は、当業者によって使用されている、タイダウンライン（tie down lines）、グラウンドラインなどの、産業設備の要素を含む他の要素をプレキャストスラブに固定するのに使用され得る。
【００２２】
設置時、パッドの上面は地面／下地に対して水平であり、かつパッドは水平または実質的に水平であるべきである。側面という用語は、上面と底面との間のスラブの端または他の領域のことをいい、そこでは、垂直な側面が始まっていてもよい。
【００２３】
スラブは、風および震動事象の最中における滑動および運動、ならびに、このような事象が起っている最中における貯蔵タンクなどの設備の移動、転倒および／または滑動に抵抗するのに十分な大きさの力を提供するのに十分に重くあるべきである。追加の重りをその場に追加することもでき、この重りはコンクリート、セメント、または鋼、鉛および水などの他の重りからなる。ピア（pier）、把持部材、または当業者に知られている他の方法が、滑動や転倒を起こす力に抵抗するために、スラブと共に使用され得る。
【００２４】
スラブは、スラブの上に位置する産業設備の重さを支え得る大きさであるべきである。例えば、スラブ／パッドの好ましい実施形態の設計基準は、風または震動事象の間における運動に抵抗すべきである。例えば、このスラブ／パッドは、好ましくはハリケーンによって起こるような約１００ｍｐｈの風速に耐えるべきであり、好ましくは地震帯４の条件に耐えるべきである。
【００２５】
このスラブ／パッドは、一体品を具備してもよく、または互いに隣接する（互いに接触または境を接する）ように置かれる複数の部分を具備してもよい。一体型のスラブ／パッドは、据え付けがより容易であるので好ましい。長さ１５フィートおよび幅１０フィートよりも大きいスラブなどの大きなスラブが必要な場合、または重量もしくは搬送の問題がある場合には、複数の部分からなるスラブの方がより望ましいであろう。しかし、複数の部分からなるスラブ／パッドの使用には、複数の部分を水平にすることがより難しく、組立品は扱い辛く、さらにはそれら部分がばらばらになるおそれがあるという不利な点がある。図１は、段差状の重なり部分９を備えると共に相互連係または相互接続している複数の部分から構成された、スラブ／パッドを示している。あるいは、それらスラブ／パッドの部分はパズルのピースに類似の様々な方法で嵌め合うことができ、互いに噛み合うまたは嵌め合う凸部と凹部とを備えた端部で均一な奥行きを有していてもよく、その代わりに、互いに境を接している複数の正方形または長方形部分あるいは他の形の部分であってもよい。複数の部分を使用してスラブ、パッドまたは基礎をつくる場合、側面は好ましくは、パッドまたはスラブを形成するために、２つの部分が互いに接合させられるかまたは互いに隣接して配置される領域である。この場合、スラブの少なくとも１つの側部は、より大きな表面を生じさせるために、可搬式であってもそうでなくてもよい他のパッドまたはスラブと相互接続および／または相互連係する能力を有していてもよい。可搬式の基礎を他のものに接合することが必要となる場合には、１つのスラブ／パッドを他のものに接続するために使用できる多くの接合手段が考えられる。スラブの部分が分解しないことを確実にするために、スラブの周辺部のまわりでいくつかの杭を使用してもよいし、スラブの周辺部のまわりに枠を設置してもよい。あるいは、接合領域のまわりに帯金部を配置してもよい。図１のスラブ／パッドは、一体品で構成されていてもよく、そうであれば重なり部分９を持たないであろう。
【００２６】
スラブ／パッドはどんな形でもよい。好ましくは、基礎として使用するスラブは、スラブ上に産業設備を置いた後でもスラブの外周が残るような形および大きさにする。いくつかの用途では、スラブは、そのスラブのために設計された領域中に嵌め込まれる、円形、矩形、正方形、他の形状でもよい。一定の用途では、一定のスラブ領域が望ましい。例えば、スラブを大容量貯蔵タンクのための基礎として使用する場合、ある実施形態では、タンクに隣接する上面の少なくとも長さ約８フィートおよび幅８フィートの領域は、大容量貯蔵タンクをパッドまたはスラブ上に置いた後に液体酸素の送り出しに利用可能であり、液体酸素システムに対する産業的な要求に応ずるべきである。
【００２７】
このスラブ／パッドは、当業者に知られているまたは当業者に使用されている、様々な方法によってつくられてもよい。例えば、コンクリートまたはセメントは、基礎を現場でつくるときに土建業者によって築かれる木製の型枠と同様の、台の上に置かれた型枠に流し込まれ得る。その台は充填した型枠の重量を支えるように設計されていなくてはならない。型枠は、プラスチック、木、金属、または他の耐久性のある材料から作られていてもよい。型枠は、好ましくは、台がそうであるのと同様にスチール製である。コンクリートまたはセメントを養生させた後（典型的には約１−２週間かかる）、型枠の側部が、スチールの台の上に置かれたスラブ／パッドを残して取り除かれる。コンクリートまたはセメントが乾燥したら、それは台から離れ、スラブは台から持ち上げられ得る。当業者に知られているまたは当業者に使用されている他のモールド方法および他の種のコンクリートまたはセメントが使用されてもよい。
【００２８】
適切な養生は、良質なコンクリートまたはセメントを得るのに不可欠であり、スラブ／パッドの耐久性および耐磨耗性に寄与する。養生処理の間、コンクリートまたはセメントは、あまりにも早く乾ききるべきではなく、強度を高めかつ耐久性および耐磨耗性を増大させるために、水分を保持して徐々に乾燥すべきである。養生にかかる時間は、スラブ部分の大きさおよび厚さばかりでなく、コンクリートまたはセメントのタイプにも依存する。乾燥を遅らせるために、スラブ／パッドは、鋳型を充填した後にプラスチックのシートで覆われ得る。あるいは、市販の硬化組成物が、コンクリートまたはセメントの表面に噴霧、はけ塗り、またはロール塗りされてもよい。また、例えば、ASTM C494規格に適合するもののような減水混合剤がコンクリートまたはセメントに混ぜられてもよい。さらに、塩化カルシウム混合剤を使わないことが好ましい。
【００２９】
ある実施形態では、スラブ／パッドの底部はコンクリートまたはセメントである。もちろん、プレートまたは他の装置が、スラブ／パッドの底部に取り付けられるかまたは接続されてもよい。例えば、土壌と基礎との間の摩擦を増加させるためまたは下地を把持させるために、補強棒、他の金属、または剛体か半剛体である他の材料が、コンクリートまたはセメントのスラブ／パッドの底部へと成形されるか、または取り付けられ得る。
【００３０】
使用するセメントは、好ましくは、Portland cement, ASTM C 150, Type 1などの従来のセメントである。使用するコンクリートは、好ましくは、Portland cement, ASTM C 150, Type 1（それは、少なくとも約２０００ｐｓｉの、好ましくは約４０００ｐｓｉ、までの極限圧縮強度を有している）などの従来のコンクリートである。もちろん、高強度コンクリートも、スラブ／パッドの少なくとも一部に使用され得る。最大の水セメント比は、ASTM C33のような標準重量骨材を用い、コンクリート中の空隙が好ましくは約５％未満である場合には、好ましくは約０．４５である。他の骨材および当業者に知られているまたは使用されている他の基準を、コンクリートまたはセメント、骨材、およびコンクリートまたはセメント中の空隙の選択に関して使用することもできる。必要な重量に応じて、一部の軽量コンクリートまたはセメントを使用してスラブ／パッドを形成してもよい。
【００３１】
コンクリートまたはセメント密度を変化させることを利用して、スラブの安定性を増加させることができる。例えば、より高密度のコンクリートまたはセメントをある領域、例えば周囲および端部、で使用し、より軽量のコンクリートまたはセメントを中心部のような場所で使用してもよい。また、スラブ／パッドは、スラブ／パッドの安定性を増加させるために、例えばその端部で重くされ得る。
【００３２】
耐久性のために、コンクリートまたはセメントは、好ましくは補強される。例えば、複数のワイヤ、補強棒（rebar）、ロッド、バー、プレート、砂利、ガラス、ガラス繊維、または炭素繊維、およびそれらの組合せが、補強手段として使用され、かつ、コンクリートまたはセメント中に投入され得る。金属、ガラス繊維もしくはポリマー、またはそれらの組合せからなるものなどのバーまたはロッド２２および補強棒２６が、コンクリートまたはセメントのスラブを補強するのに好ましくは使用される。図１を参照のこと。補強棒が最も好ましい。
【００３３】
ある実施形態では、好ましい補強棒は、ASTM A 615規格に準拠したグレード６０のバーである。当業者に知られているまたは使用されている他の規格が使用されてもよい。バーが曲げられるかまたは変形させられる場合、それらは、好ましくは冷間で曲げられるかまたは変形させられる。さらに、補強棒またはロッドは、支持枠へと変形されてもよく、必要であれば、取り付け手段は、支持枠、補強棒、またはロッドに、着脱可能にまたは固定式で取り付けられ得る。好ましくは、補強棒、バーもしくはロッド、またはプレートを覆っているコンクリートまたはセメントは、少なくとも２インチから３インチの厚さを有している。ガラス、砂利、小石、砕石、スラグ、または炭素繊維を選択した場合には、それらは、好ましくはコンクリートまたはセメントの全体に散在させられている。図８を参照のこと。補強棒またはロブは、成形時に型枠の中に置かれ、スラブが養生した後にスラブを強化する役割を果たす。
【００３４】
好ましくは、ASTM A36鋼などの通常の補強棒２６が使用される。補強棒は、様々な方法で配置されかつ間隔を開けられ得る。好ましくは、補強棒またはロッドは、約３フィートを超えて離れず、好ましくは互いの中心で約１２インチから約１８インチである。また、補強棒は、好ましくは少なくとも約＃３から約＃１０（それは約３／８インチ径から約１−１／４インチ径に等しい）またはそれ以上の補強棒である。もちろん、より大きな径の補強棒も使用され得る。さらに、補強棒は、互いに平行でもよく、好ましくはさらに十字に交差している。補強棒は、一層の厚さで三次元支持枠へとつくられてもよく、その代わりに、二層以上の補強棒が使用され得る。例えば、ある実施形態では、頂部の補強棒は、直径が＃５または５／８であり、交差し、各々の方向に約１６インチの間隔を開けて配置された補強棒であり、底部の補強棒は、直径が＃８または１インチであり、交差し、補強棒から中心で約１２インチから約１８インチの間隔を開けて配置され得る。さらに、２つの層を使用して補強棒を交差させる場合には、補強棒は、千鳥状に配置させられ、かつ補強棒が約６インチから約８インチ毎に存在するように離間していてもよい。
【００３５】
スラブ／パッドが延長部を使用して補強棒を継ぎ合わせなければならない長さである場合、補強棒は、好ましくは例えばACI 318に準拠するように継ぎ領域２７で重ね合わされ、好ましくは４０バー以上の径（bar diameter）であって、補強棒の重ね継された領域において約１インチ以上であり約６インチまでの補強棒である。図７Ａを参照のこと。当業者に知られているまたは使用されている他の基準も十分であるかもしれない。補強棒またはロッドは、必要であれば、モールドの前にプレストレスを印加され得る。プレストレスが印加されていることは、スラブにおいて成形される前に引き伸ばされかつ応力を加えられた物品をいう。
【００３６】
スラブは可搬式であるため、それは、好ましくは、スラブが例えばケーブルによって移動および／または持ち上げられるのを可能とする取り付け手段を有している。ケーブルという用語は、ライン、ストランド、または鎖、または当業者に知られているか使用されているものであって取り付け手段に取り付けもしくは接続されてもよい他のこのようなデバイスをいう。スラブ／パッドが移動させられるのを可能とする様々な装置が、スラブ／パッドに組み込まれ得る。例えば、取り付け手段は、好ましくは鋳鋼であるリフトピンもしくはリフトリング、または当業者に知られているか使用されている他のこのような装置を具備してもよく、好ましくは上面または側面においてまたはそこから到達可能である。図３は、取り外し可能にスラブに取り付けられ得るリフトピンの断面図である。ピン３０は、スチール製であり、拡大ヘッド（enlarged head）３２を有しており、それは、ケーブル４０がそのヘッドのまわりに巻かれるのを可能とするとともに、金属ハウジング３８のねじ山３６へと挿入可能なねじ端３４を有している。図３は、セメントマトリックス４０中での砂利３９の使用を示している。モルタルも使用され得る。もちろん、コンクリートは、小石、砕石、またはスラグを含んだセメントまたはモルタルから構成されていてもよい。
【００３７】
リフトピンまたは他の取り付け手段が上部から到達可能である場合には、それらは、スラブの上面に対して好ましくは垂直である。それらが側面から到達可能である場合には、それらは、１つまたは複数の側面に対して好ましくは垂直である。このようなリフトピンの１つは、Jenson Pre-Cast社によって供給される８−トンリフトピンである。好ましくは、リフトピンは、コンクリートまたはセメントの上面を超えて延びるものではない。ある実施形態では、「ナックル」として知られているアタッチメントが埋め込まれたリフトピンに取り付けられ、ケーブルはそれら「ナックル」に取り付けられる。
【００３８】
また、リフトピンは、Conac社などの他の会社によっても販売されており、少なくとも約１トンから約２６トンの範囲の様々な強度で売られている。リフトピンに要求される強度は、スラブ／パッドの重量、厚さ、および大きさ、または、当業者に知られているか使用されている他の因子に依存するであろう。図４は、スラブ２の上面４から突出したループ端４２を有し、スラブ２４に埋め込まれた取り付け手段を示している。アイループは、ケーブルフックがその輪の目４４に挿入されるのを可能とする。好ましくは、取り付け手段は、表面から突出せず、好ましくは図７Ｃのように凹部に据え付けられる。アイボルトは、一端にねじ山がつけられ、他端が輪にされていてもよい。図７Ｂおよび図７Ｃは、取り付け手段のさらに他の実施形態を示しており、これは、スラブの一方の面とスラブに埋め込まれている端との双方の位置に拡大端５２を有しているピン５０である。また、ピンは、スラブの上面から突出しないように、スラブの凹面５に据え付けられていてもよい。これは、ピンの頂部にキャップを置いて空隙をリフトピンの頂部に生じさせることにより達成され得る。さらなる代替物として、図８は、同様の応力および重量支持能力を有し、ケーブルが取り付けられるのを可能とする拡大端５８を有するアンカーボルト５４を示している。そのアンカーボルトは、コンクリートまたはセメントに直接、例えば１２インチの深さ５６で埋設されていてよい。
【００３９】
リフトピンまたはボルトなどの取り付け手段が補強棒に取り付けられていない場合、取り付け手段をスラブの幅の少なくとも約２分の１から約３分の１の位置に埋め込んで、ケーブルなどを取り付け手段に取り付けることによりスラブを持ち上げるおよび／または降ろす際に、取り付け手段がスラブから抜けないようにすることが好ましい。
【００４０】
前述のピンおよび取り付け手段の全ては、好ましくは、コンクリートまたはセメントを型枠または鋳型に流し込む前、および／または、コンクリートまたはセメントが乾き始める前に、型枠の中に配置される。しかし、取り付け手段は、コンクリートまたはセメントを養生させた後に据え付けられてもよい。例えば、パッドに穴が開けられ、この穴に、フックを備えたロッドまたは底板を備えたアイレットが挿入され得る。また、それら穴には、取り付け手段を挿入した後にエポキシを充填してもよい。
【００４１】
取り付け手段は、コンクリートまたはセメントから抜けるのを防ぐ深さ、例えば、少なくとも約４インチから、約８インチまで、約１２インチまで、１４インチまたはそれ以上の深さ、に据えるべきである。もちろん、その深さは、スラブの厚さによって制限されるであろう。スラブは、基礎として使用する場合には、好ましくは、特定の用途に依存して少なくとも約１フィートの厚さから約４フィートの厚さである。例えば、１６インチの厚さのスラブでは、ピンなどの取り付け手段は、好ましくは約１２インチの深さまで差し込まれる。あるいは、取り付け手段の埋め込み端は、例えば、取り付け手段の埋め込み端を補強棒に巻きつけることにより、または、取り付け手段を補強棒に固定式でもしくは取り外し可能に取り付けることにより、補強棒に取り付けられていてもよい。
【００４２】
スラブの大きさおよび厚さに応じて、１つまたは複数の取り付け手段を使用することができる。取り付け手段の数および間隔は、当業者には明白であり、応力が取り付け手段を壊さないかまたは取り付け手段のスラブからの抜けを生じさせないように、スラブの重量および大きさに対する取り付け手段の強度に依存するであろう。例えば、図１では、各々のスラブ２には、その中心またはその近傍に位置した取り付け手段１６が１つだけある。対照的に、図５のスラブ２は、複数の別々の取り付け手段を有しており、ある実施形態では、それは、１０フィートの幅で１５フィートの長さで厚さが１６インチであり、３つから４つの８−トンリフトピンが使用される。いずれの場合も、取り付け手段は、スラブを、動かして地面または他の下地上に置く場合にほぼ水平となりかつ制御が容易であるように、間隔を開けて配置されるべきである。
【００４３】
スラブが置かれるアスファルトまたは地面などの下地１８は、好ましくは、スラブを下地または地面に置く前において水平である。図７Ａを参照のこと。表面が水平でない場合、その表面は、好ましくは、パッドの下の、例えば、Air Liquide America社製の約１／４インチから約１／２インチまたはそれ以上の大きさの有角骨材からなる約１／２インチ以下の深さから約１フィートの深さの層によってレベリングされる。あるいは、スラブは、下地または地面上に置かれ後に水平にされ得る。安定性のためには、スラブは、濡れたまたは軟らかい土壌上には据え付けられないことが好ましい。安定性を確実にするために、好ましい許容土壌支持圧力は、少なくとも約１０００ｐｓｉ（ポンド毎平方フィート）である。また、下地からの押込み排水装置（positive drainage）があることが好ましい。
【００４４】
スラブを移動させる前にすでに乾燥させ養生させているので、スラブを据え付けた後に、スラブの乾燥のための待期はない。それゆえに、スラブは、スラブの上面に直接置かれ得る大容量貯蔵タンク６４のような産業設備６６の基礎として、速やかに使用することができる。図５および図７Ａを参照のこと。どのような機器でも、スラブが構造技術者または他の当業者によって定められている設備の地震荷重要求をスラブが満たしている限り、スラブ上に置くことができる。
【００４５】
さらに、スラブが上面上に置かれる貯蔵タンクを支持するのに使用される場合には、貯蔵されている液体からの追加の重量が、スラブの大きさおよび厚さに関して考慮に入れられなくてはならない。例えば、ある実施形態では、１５フィートの長さであり１０フィートの幅であり１６インチの厚さであるスラブについては、貯蔵タンクは、約１５００から約３０００ガロンまでの液体酸素で充填され得る。約１５００ガロンの液体を収容した貯蔵タンクの重量は約２８，１００ポンドであり、約３０００ガロンの液体を収容した貯蔵タンクは約４７，０００ポンドである。
【００４６】
フェンスをスラブおよび／または産業設備の周囲部のまわりに設置することが望まれる場合、フェンスポストを保持可能な複数の開口部７０が、例えば成形によってまたは成形されたスラブを掘削することよって、スラブに組み込まれ得る。図５を参照のこと。開口部７０は、スラブの深さに沿って途中まで延びるめくら穴を備えていてもよいし、スラブの厚さに沿って貫通した穴を備えていてもよい。図６、図７Ａを参照のこと。穴は、フェンスポストを受け止めるのに十分な径であってもよい。例えば、直径４−インチの穴が、現場で据え付けられる直径３−インチのフェンスポストを受け止めるのに使用される。穴を作り出すために、４−インチのＰＶＣキャップドパイプが、コンクリートまたはセメントを流し込む前に鋳型／型枠の中に置かれる。ＰＶＣパイプは、複数の直径４−インチの空隙を作り出す。最低限、少なくとも矩形または正方形のスラブの各々の角に穴を設けることが好ましい。フェンスポスト７のために追加の穴を提供することが有利であるかもしれない。例えば、大容量貯蔵タンクまたは容器６４を保持する１５フィートの長さで１０フィートの幅のスラブでは、少なくとも９つの穴がスラブに形成されるべきことがわかっている。
【００４７】
スラブは、好ましくは適切に排水されなくてはならない。ほとんどの場合、水平なスラブは適切に排水されるであろう。その代わりに、スラブは、複数の溝（furrow）７５をスラブの上面に有し、スラブからの排水を確実にしてもよい。図５を参照のこと。溝は、型枠を養生されていないコンクリートまたはセメントの上面の少なくとも一部の中へと押し込むことにより組み込まれてもよく、溝は、当業者に知られている他の方法で作られてもよい。しかし、溝は、それらがスラブの上面を凸凹にしないように、要所要所に配置されるべきである。さらに、コンクリートまたはセメントは、上面がつるつる滑らないように、ブルーミング仕上げを行ってもよい。
【００４８】
ある実施形態では、例えば大容量貯蔵タンク用の容器脚部６６の容器脚プレート６２も、例えばアンカーボルトおよびエポキシによってスラブに固定される。ある実施形態では、スラブの厚さと同じ深さにまで延びてもよい直径が約３／４’’から約３／２’’の穴が、スラブおよび／または容器脚部プレートの所望の位置にドリルで開けられ、次に、エポキシパックが挿入されボルトで破裂させられて、エポキシ部を混ぜ合わせる。その後、ナットを、典型的には開いている容器脚部の一部を通じて到達可能なボルトに取り付けて、脚部プレートをさらにしっかり固定してもよい。例えば、Hilti社は、そのようなエポキシおよびアンカーボルトを供給しており、他のこのような接着剤および締結具も市販されている。もちろん、当業者に知られている、容器脚部および脚部プレートを固定する他の方法が使用されてもよい。ある実施形態では、グラウトの層６０が、容器プレートとスラブの上面４との間で使用されてもよい。また、他のタイプの産業設備の脚部または部分がスラブに固定されてもよい。
【００４９】
繰り返すと、可搬式プレキャストスラブを産業設備のための基礎として使用する方法が視野に入れられており、それは、上面と複数の側面と下面と長さと幅と厚さとを有している可搬式プレキャストスラブを提供することを含んでいる。使用中、スラブの下面は地面上に置かれ、スラブの水平が確認される、および／または、スラブが水平にされる。次に、産業設備の少なくとも１つの部分が、スラブの上面上に置かれ得る。
【００５０】
この方法は、補強手段をコンクリートまたはセメント中に投入する工程も視野に入れていて、ここで補強手段はワイヤ、補強棒、ロッド、バー、プレート、砂利、ガラスもしくは炭素繊維、またはこれらの組合せから実質的になる群より選択される。
【００５１】
この方法は、スラブの上面または側面から到達可能な、スラブを移動させるまたは持ち上げる手段を提供する工程も含んでいる。持ち上げるまたは移動させる手段は、少なくとも１つのリフトピン、少なくとも１つのリフトリング、少なくとも１つのリフトボルト、アンカーボルト、およびこれらの組合せから実質的になる群より選択されてもよい。取り付け手段は、固定式で取り付けられていてもよいし、着脱可能に取り付けられていてもよい。また、この方法は、ケーブルを持ち上げ手段に取り付けてスラブを持ち上げる工程をさらに含んでいる。
【００５２】
この方法では、例えば、産業設備は、大容量貯蔵タンクを含んでいてもよい。この場合、スラブは、少なくとも１０フィートの長さで１０フィートの幅である領域を、タンクに隣接する上面（それは、大容量貯蔵タンクをスラブの上面上に置いた後において、液体酸素の送り出しに利用可能である）に提供することが望ましいかもしれない。
【００５３】
スラブは複数の部分を含んでもよく、それらの部分は、互いに隣接して配置されてスラブを形成してもよい。
【００５４】
さらに、この方法では、フェンスが、スラブおよび／または産業設備の周囲部のまわりに設置されてもよい。
【００５５】
また、この方法はスラブの少なくとも一部を飛散防止パッドとして使用する工程をさらに含んでいてもよい。
【００５６】
少なくとも１つの大容量貯蔵タンクまたはシステムのための基礎として使用するプレキャスト強化スラブをつくる方法も視野に入れられており、この方法は、鋳型または型枠を用意し、少なくとも部分的に鋳型をコンクリートで充填し、少なくとも１つの補強棒またはロッドをコンクリートまたはセメント内に置いてコンクリートまたはセメントを補強することを含み、ここで、少なくとも１つの補強棒またはロッドは、少なくとも１つのリフトピン、または、補強棒と一体化されているか着脱可能に取り付けられている少なくとも１つの取り付け手段を有している。次に、補強棒またはロッドは、コンクリートまたはセメントで覆われる。
【００５７】
それから、コンクリートまたはセメントは乾燥および／または養生させられて、それにより、上面と底面と複数の側面と長さと幅と厚さとを有しているスラブ／パッドを形成する。そのスラブは、スラブが少なくとも部分的に乾燥したときに型枠から取り外される。この方法では、スラブに形成され、上面から視認可能な複数の開口部があってもよい。これら開口部は、様々な用途を持ち、例えばそれらの中にフェンスポストを据え付けるために使用することができる。
【００５８】
この方法では、鋳型または型枠は、スラブが他のスラブの少なくとも１つの側面に相互接続または相互連係できるように形づくられた少なくとも１つの側面を提供する。
【００５９】
さらに、この方法では、複数の補強棒またはロッドが補強手段として使用され、補強棒は互いに平行におよび／または交差するように配置される。
【００６０】
さらに、複数の補強棒またはロッドが補強手段として使用される場合、補強棒またはロッドは、コンクリートまたはセメント中に置かれる三次元支持構造体を形成するように配置される。また、この方法では、補強棒またはロッドには、モールド前にプレストレスを印加してもよい。
【００６１】
この方法では、スラブを、仕様前に乾燥および／または養生させる。
【００６２】
この方法では、軽量コンクリートまたはセメントまたはプレフォームパッドの重量を低減するように設計された他の材料の少なくとも一部が、スラブを形成するのに使用されてもよい。
【００６３】
さらに、この方法の一部として、複数の溝がスラブの上面につくられて、スラブの上面からの排水を確実にしてもよい。
【００６４】
さらに、パッドが大容量貯蔵タンクのための基礎として使用される場合、スラブは、好ましくは、大容量貯蔵タンクがスラブの上面上に置かれた後に液体酸素を送り出すのに利用可能な、少なくとも１０−フィートの幅で１０−フィートの長さである領域を上面に有している。
【００６５】
本発明の方法は、容易に設置されかつ所望により移動され得る、極低温液体を貯蔵および供給するシステムの創出も視野に入れている。本発明の様々な実施形態は、極低温液体貯蔵タンクと、任意に、典型的には産業用ガス業界で使用される以下の設備の部品：気化器；圧力制御手段；ガス濾過手段；遠隔測定ユニット手段；ポンプ手段；タンク充填手段；配管、配管支持体；ガス貯蔵シリンダ；および飛散防止パッドの１つ以上とを含んでいる。
【００６６】
ある好ましい実施形態では、極低温システムは、フェンスエンクロージャを有している。フェンスエンクロージャは、極低温システムを適切に操作する訓練を受けていない人による無断侵入を防ぐという安全上の理由で追加される。さらに、フェンスは、極低温システムの所有者に属するものとそうでないものとの間の境界線の線引きを提供する。
【００６７】
この方法は、コンクリート基礎を、そのシステムの他のいずれかの部材と実質的に同時に設置することをさらに含んでいる。前に説明したように、その基礎は、クレーンで荷降ろしすることにより所定の位置に置かれる。そのシステムがある特定の場所でもはや必要でなくなると、そのシステムは、標準的なエンジニアリング方式で解体され得る。まず設備が撤去され、その後、スラブが設置されたときと同じような方法で撤去される。
【００６８】
システムが解体されると、その各々の部分は、別々にまたは一緒に、他の場所での使用に利用できる。１つの好ましい実施形態では、基礎を含むシステム全体が、他の場所での使用のために再び組み立てられる。
【００６９】
また、本発明は、極低温液体を貯蔵しかつ供給する装置であって、本明細書で前に説明した少なくとも１つの可搬式プレキャストスラブ基礎と、極低温液体貯蔵タンクとを具備する装置も視野に入れている。好ましい実施形態は、典型的には産業用ガス業界で使用される以下の設備の部品：気化器；圧力制御手段；ガス濾過手段；遠隔測定ユニット手段；ポンプ手段；タンク充填手段；配管、配管支持体；ガス貯蔵シリンダ；および飛散防止パッドの１つ以上を含む。
【００７０】
タンクに収容される貯蔵極低温液体は、窒素、酸素、アルゴン、二酸化炭素、水素およびヘリウムでもよい。
【００７１】
この用途に適した可搬式パッドの構成に関する詳細は、以前に説明されている。
【００７２】
なお、ここで例示の目的で詳細に説明した方法および装置の実施形態は、もちろん、構造、設計、応用および方法論の点で多くの様々な変形に供される。多くの様々なおよび異なる実施形態がここで教示した本発明の概念の範囲内でなされてもよく、そして、多くの修飾がここで法の記載要件に従って詳細に説明した実施形態においてなされてもよいので、ここでの詳細は、例証であると解釈されるべきであり、限定の意味はないということが理解されるべきである。
【００７３】
さらに、本発明の本質を説明するためにここで説明しかつ例示した詳細、材料、工程および部品の配置の点における多くの付加的な変更が、添付の特許請求の範囲に示された本発明の理念および範囲の中で、当業者によってなされてもよいことが理解されるであろう。従って、本発明は、上記の例および／または添付の図面における特定の実施形態に限定されることが意図されるものではない。
【図面の簡単な説明】
【００７４】
【図１】本発明の一実施形態の斜視図。
【図２】本発明の実施形態の補強手段の図。
【図３】本発明の実施形態の取り付け手段の側面図。
【図４】本発明の実施形態の取り付け手段の側面図。
【図５】本発明の実施形態の上面図。
【図６】本発明の実施形態の側断面図。
【図７Ａ】本発明の実施形態の長手方向の側断面図。
【図７Ｂ】本発明の実施形態の直立側断面図。
【図７Ｃ】本発明の実施形態の取り付け手段の側面図。
【図８】本発明の他の実施形態の取り付け手段の側面図。
【図１】
2007505794.tif 000003
【図２】
2007505794.tif 000004
【図３】
2007505794.tif 000005
【図４】
2007505794.tif 000006
【図５】
2007505794.tif 000007
【図６】
2007505794.tif 000008
【図７Ａ】
2007505794.tif 000009
【図７Ｂ】
2007505794.tif 000010
【図７Ｃ】
2007505794.tif 000011
【図８】
2007505794.tif 000012
【国際調査報告】
2007505794.tif 000013
2007505794.tif 000014
2007505794.tif 000015